(57)【要約】【課題】簡単な操作で球抜作業を行える球抜機構を実現でき、導出樋からの球抜作業を迅速に行うことができる遊技機を提供する。【解決手段】球抜機構６１は、球抜開口部６２と球抜樋６３と流下切換部材６４とを備え、該流下切換部材６４は、閉塞壁部８２と開放開口８３と流下阻止壁８５と球誘導部８７とを備え、流下切換部材６４を排出状態と球抜状態とに切換可能とし、排出状態に切り換えると、流下阻止壁８５および球誘導部８７を導出樋２２の底部２２ａから離隔して導出樋２２の遮断を解除するとともに、球抜開口部６２を閉塞壁部８２で閉塞して、遊技球を球排出装置２３へ流下させ、球抜状態に切り換えると、流下阻止壁８５および球誘導路を導出樋２２の底部２２ａに当接して導出樋２２を遮断するとともに、球抜開口部６２を開放開口８３で開放して、遊技球を球誘導部８７により球抜開口部６２へ誘導して球抜樋６３へ流下させるように構成した。【選択図】図９
2007135697.tif 000002
【特許請求の範囲】
【請求項１】
遊技球を貯留可能な球貯留タンクと、該球貯留タンクの下流側に連通し、球貯留タンクに貯留された遊技球を導出する導出樋と、該導出樋から導出された遊技球を排出可能な球排出装置と、を備え、前記導出樋の途中に遊技球を抜き出す球抜機構を設けた遊技機において、
前記球抜機構は、導出樋の側壁部に開設された球抜開口部と、該球抜開口部に連通する球抜樋と、導出樋内の遊技球の流下方向を切り換える流下切換部材と、を備え、
該流下切換部材は、
前記球抜開口部を閉塞可能な閉塞壁部と、該閉塞壁部と上下に並んで配置され、球抜開口部を開放可能な開放開口と、導出樋を球抜開口部よりも上流側と下流側とに遮断可能な流下阻止壁と、該流下阻止壁のうち開放開口とは反対側から導出樋の上流側へ向けて突設され、遊技球を球抜開口部へ誘導可能な球誘導部と、を備え、
当該流下切換部材を上下方向へ移動して排出状態と球抜状態とに切換可能とし、
前記排出状態に切り換えると、流下阻止壁および球誘導部を導出樋の底部から離隔して導出樋の遮断を解除するとともに、球抜開口部を閉塞壁部で閉塞して、導出樋内の遊技球を球排出装置へ流下させ、
前記球抜状態に切り換えると、流下阻止壁および球誘導部を導出樋の底部に近接または当接して導出樋を遮断するとともに、球抜開口部を開放開口で開放して、導出樋内の遊技球を球誘導部により球抜開口部へ誘導して球抜樋へ流下させるように構成されたことを特徴とする遊技機。
【請求項２】
前記球貯留タンクと導出樋とを同一下り方向に連設し、
前記導出樋は、その幅を球貯留タンクの幅よりも狭く設定して、当該導出樋の側方に球抜樋配置空間部を設け、
該球抜樋配置空間部に球抜樋を球貯留タンクの側部よりも外方へ突出しない状態で配置したことを特徴とする請求項１に記載の遊技機。
【請求項３】
前記流下切換部材は、
前記流下阻止壁のうち導出樋の上流側に対向する側面の下部に、導出樋内の遊技球を導出樋の上流側へ押圧可能な押圧作用部を備え、前記球抜状態において、押圧作用部の上端と導出樋の底部との距離を遊技球の半径よりも短い距離に設定し、
前記球誘導部の下部に、遊技球を球抜開口部側へ押圧可能な誘導補助部を備え、
前記押圧作用部の下部を誘導補助部の下部よりも遊技球寄りに配置し、流下切換部材が排出状態から球抜状態へ切り換えると、押圧作用部の下部が誘導補助部の下部よりも先に遊技球に当接するように構成されたことを特徴とする請求項１または請求項２に記載の遊技機。
【請求項４】
前記導出樋は、その底部のうち球抜開口部の周辺を凹ませて球抜案内部を形成し、
該球抜案内部を球抜開口部へ向けて下り傾斜させ、球抜案内部の上端と当該導出樋の側壁部との間隔を遊技球の半径よりも短い距離に設定したことを特徴とする請求項１から請求項３のいずれかに記載の遊技機。
【発明の詳細な説明】
【技術分野】
【０００１】
本発明は、遊技球を貯留可能な球貯留タンクと、該球貯留タンクの下流側に連通し、球貯留タンクに貯留された遊技球を導出する導出樋と、該導出樋から導出された遊技球を排出可能な球排出装置と、導出樋内の遊技球を抜き出す球抜機構とを設けたパチンコ遊技機等の遊技機に関する。
【背景技術】
【０００２】
遊技球を使用して遊技を行う遊技機の代表的なものとしてパチンコ遊技機がある。このパチンコ遊技機の裏面側には、遊技球を貯留するとともに、この遊技球を排出可能な球貯留ユニットを備えている。球貯留ユニットは、遊技球を貯留可能な球貯留タンク、球貯留タンク内の遊技球を導出する導出樋、導出樋から導出された遊技球を排出可能な球排出装置、導出樋の途中から遊技球を抜き出す球抜機構等を備えている。そして、遊技球が入賞口へ入賞したり、あるいは遊技者により球貸操作が行われたりすると、球排出装置が作動して球貯留タンクに貯留された遊技球を流下して、賞球あるいは貸球としてパチンコ遊技機の前面の球受皿（上皿あるいは下皿）に排出する。また、パチンコ遊技機のメンテナンス作業時や機種交換作業（所謂入替作業）時には、球抜機構を操作して球貯留タンク内に残留している遊技球を抜き出して、パチンコ遊技機の外部へ排出する。
【０００３】
そして、球貯留ユニット（玉ホッパー）を備えたパチンコ遊技機に関し、導出樋（整列通路）に球排出装置（玉払出し装置）をスライド可能な状態で接続して球抜機構を構成したものが提案されている（特許文献１参照）。このパチンコ遊技機は、遊技球をパチンコ遊技機の外部へ抜き出す球抜動作時には、球排出装置と導出樋とを遠ざけて球貯留ユニットの底部に球抜開口部を開放し、該球抜開口部から遊技球を抜き出すように構成されている。また、遊技球を球受皿へ排出する排出動作時には、球排出装置と導出樋とを近づけて球抜開口部を閉成し、遊技球が球排出装置へ流下するように構成されている。
【特許文献１】特開２００５−２２４３５０号公報
【発明の開示】
【発明が解決しようとする課題】
【０００４】
ところで、上記特許文献に記載のパチンコ遊技機は、球抜機構の一部として、球抜開口部よりも導出樋の下流側を遮断可能な球通過規制レバーを備えている。そして、排出動作を行う場合には、球排出装置をスライドさせて球抜開口部を開放するだけでは足りず、球通過規制レバーを操作して導出樋を遮断し、球通過規制レバーにより遊技球を球抜開口部へ誘導するように設定しなければならない。このように、上記特許文献に記載のパチンコ遊技機では、球抜動作に必要な球抜機構の構成が複雑であり、別個に設けられた２つの構成要素を別々に操作して球抜動作の準備を行わなければならない。したがって、球抜作業の迅速化に改善の余地を残している。
【０００５】
そこで、本発明は、上記の事情に鑑みてなされたものであり、その目的は、簡単な操作で球抜作業を行える球抜機構を実現でき、導出樋からの球抜作業を迅速に行うことができる遊技機を提供しようとするものである。
【課題を解決するための手段】
【０００６】
本発明は、上記目的を達成するために提案されたものであり、請求項１に記載のものは、遊技球を貯留可能な球貯留タンクと、該球貯留タンクの下流側に連通し、球貯留タンクに貯留された遊技球を導出する導出樋と、該導出樋から導出された遊技球を排出可能な球排出装置と、を備え、前記導出樋の途中に遊技球を抜き出す球抜機構を設けた遊技機において、
前記球抜機構は、導出樋の側壁部に開設された球抜開口部と、該球抜開口部に連通する球抜樋と、導出樋内の遊技球の流下方向を切り換える流下切換部材と、を備え、
該流下切換部材は、
前記球抜開口部を閉塞可能な閉塞壁部と、該閉塞壁部と上下に並んで配置され、球抜開口部を開放可能な開放開口と、導出樋を球抜開口部よりも上流側と下流側とに遮断可能な流下阻止壁と、該流下阻止壁のうち開放開口とは反対側から導出樋の上流側へ向けて突設され、遊技球を球抜開口部へ誘導可能な球誘導部と、を備え、
当該流下切換部材を上下方向へ移動して排出状態と球抜状態とに切換可能とし、
前記排出状態に切り換えると、流下阻止壁および球誘導部を導出樋の底部から離隔して導出樋の遮断を解除するとともに、球抜開口部を閉塞壁部で閉塞して、導出樋内の遊技球を球排出装置へ流下させ、
前記球抜状態に切り換えると、流下阻止壁および球誘導部を導出樋の底部に近接または当接して導出樋を遮断するとともに、球抜開口部を開放開口で開放して、導出樋内の遊技球を球誘導部により球抜開口部へ誘導して球抜樋へ流下させるように構成されたことを特徴とする遊技機である。
【０００７】
請求項２に記載のものは、前記球貯留タンクと導出樋とを同一下り方向に連設し、
前記導出樋は、その幅を球貯留タンクの幅よりも狭く設定して、当該導出樋の側方に球抜樋配置空間部を設け、
該球抜樋配置空間部に球抜樋を球貯留タンクの側部よりも外方へ突出しない状態で配置したことを特徴とする請求項１に記載の遊技機である。
【０００８】
請求項３に記載のものは、前記流下切換部材は、
前記流下阻止壁のうち導出樋の上流側に対向する側面の下部に、導出樋内の遊技球を導出樋の上流側へ押圧可能な押圧作用部を備え、前記球抜状態において、押圧作用部の上端と導出樋の底部との距離を遊技球の半径よりも短い距離に設定し、
前記球誘導部の下部に、遊技球を球抜開口部側へ押圧可能な誘導補助部を備え、
前記押圧作用部の下部を誘導補助部の下部よりも遊技球寄りに配置し、流下切換部材が排出状態から球抜状態へ切り換えると、押圧作用部の下部が誘導補助部の下部よりも先に遊技球に当接するように構成されたことを特徴とする請求項１または請求項２に記載の遊技機である。
【０００９】
なお、遊技球寄りに配置するとは、導出樋内を流下する遊技球の軌跡に近い位置、言い換えると、流下阻止壁よりも導出樋の上流側に配置された遊技球に近い位置に配置することを意味する。
【００１０】
請求項４に記載のものは、前記導出樋は、その底部のうち球抜開口部の周辺を凹ませて球抜案内部を形成し、
該球抜案内部を球抜開口部へ向けて下り傾斜させ、球抜案内部の上端と当該導出樋の側壁部との間隔を遊技球の半径よりも短い距離に設定したことを特徴とする請求項１から請求項３のいずれかに記載の遊技機である。
【発明の効果】
【００１１】
本発明によれば、以下のような優れた効果を奏する。
請求項１に記載の発明によれば、球抜機構は、導出樋の側壁部に開設された球抜開口部と、該球抜開口部に連通する球抜樋と、導出樋内の遊技球の流下方向を切り換える流下切換部材とを備え、該流下切換部材は、球抜開口部を閉塞可能な閉塞壁部と、該閉塞壁部と上下に並んで配置され、球抜開口部を開放可能な開放開口と、導出樋を球抜開口部よりも上流側と下流側とに遮断可能な流下阻止壁と、該流下阻止壁のうち開放開口とは反対側から導出樋の上流側へ向けて突設され、遊技球を球抜開口部へ誘導可能な球誘導部とを備え、流下切換部材を上下方向へ移動して排出状態と球抜状態とに切換可能とし、排出状態に切り換えると、流下阻止壁および球誘導部を導出樋の底部から離隔して導出樋の遮断を解除するとともに、球抜開口部を閉塞壁部で閉塞して、導出樋内の遊技球を球排出装置へ流下させ、球抜状態に切り換えると、流下阻止壁および球誘導部を導出樋の底部に近接または当接して導出樋を遮断するとともに、球抜開口部を開放開口で開放して、導出樋内の遊技球を球誘導部により球抜開口部へ誘導して球抜樋へ流下させるように構成したので、シンプルな構成で球抜機構を構成することができる。また、球抜機構を上下に移動して簡単に操作するだけで導出樋の途中から遊技球を抜き出すことができ、導出樋からの球抜作業を迅速に行うことができる。
【００１２】
請求項２に記載の発明によれば、球貯留タンクと導出樋とを同一下り方向に連設し、導出樋は、その幅を球貯留タンクの幅よりも狭く設定して、当該導出樋の側方に球抜樋配置空間部を設け、該球抜樋配置空間部に球抜樋を球貯留タンクの側部よりも外方へ突出しない状態で配置したので、球抜機構の配置スペースを球貯留タンクの幅よりも広く設定する必要がない。したがって、球抜機構の配置スペースを狭く抑えることができ、遊技機内の限られた空間を有効に活用することができる。
【００１３】
請求項３に記載の発明によれば、流下切換部材は、流下阻止壁のうち導出樋の上流側に対向する側面の下部に、導出樋内の遊技球を導出樋の上流側へ押圧可能な押圧作用部を備え、球抜状態において、押圧作用部の上端と導出樋の底部との距離を遊技球の半径よりも短い距離に設定し、球誘導部の下部に、遊技球を球抜開口部側へ押圧可能な誘導補助部を備え、押圧作用部の下部を誘導補助部の下部よりも遊技球寄りに配置し、流下切換部材が排出状態から球抜状態へ切り換えると、押圧作用部の下部が誘導補助部の下部よりも先に遊技球に当接するように構成されたので、流下切換部材を排出状態から球抜状態へ切り換える際に、遊技球を球抜開口部側へ押圧する前に導出樋の上流側へ押圧することができる。したがって、導出樋内に並んだ遊技球の列の途中に流下切換部材の流下阻止壁を挿入し易くなり、導出樋をスムーズに遮断することができる。これにより、導出樋からの球抜作業を一層迅速に行うことができる。
【００１４】
請求項４に記載の発明によれば、導出樋は、その底部のうち球抜開口部の周辺を凹ませて球抜案内部を形成し、該球抜案内部を球抜開口部へ向けて下り傾斜させたので、流下切換部材を球抜状態に切り換えた場合に、導出樋内の遊技球を球抜開口部へ迅速に誘導することができ、球抜作業の効率向上を図ることができる。
また、球抜案内部の上端と当該導出樋の側壁部との間隔を遊技球の半径よりも短い距離に設定したので、流下切換部材を排出状態に切り換えた場合に、導出樋内の遊技球が球抜案内部に引っ掛かって停留することがない。したがって、球抜案内部が遊技球の排出作業に支障を来たす虞がない。
【発明を実施するための最良の形態】
【００１５】
以下、代表的な遊技機であるパチンコ遊技機を例に挙げて本発明の実施の最良の形態を図面に基づき説明する。図１はパチンコ遊技機の背面斜視図である。
パチンコ遊技機１は、外枠（機枠あるいは本体枠）２に、大きな開放開口を有する額縁状の前面枠（内枠）３の一側を開閉可能に軸着し、該前面枠３の裏側に裏機構ユニット４を取り付けている。裏機構ユニット４は、液晶表示装置などの表示装置（図示せず）を前方から嵌め込み、この表示装置の前面側を遊技盤（図示せず）に開設した開口から前方（遊技者側）へ臨ませている。また、裏機構ユニット４の下方には、遊技を統括的に制御する遊技制御装置７、排出制御装置８、電源装置９、中継基板１０等をそれぞれ配設している。さらに、裏機構ユニット４の上方に球貯留ユニット１３を配設し、裏機構ユニット４の側部（図１中右側部）には、球貯留ユニット１３から排出された遊技球を流下させる球流下路（具体的には、球貯留ユニット１３内の遊技球を賞球あるいは貸球として流下させる球流下路である排出流下路１５と、球貯留ユニット１３内の遊技球を遊技機島設備内の下部の球回収樋（図示せず）へ案内する球流下路である球抜流下路１６）を備えている。そして、球貯留ユニット１３の上方には、遊技機設置島設備内に設けられ、遊技機設置島設備からパチンコ遊技機１の球貯留ユニット１３へ遊技球を補給するための補給装置（図示せず）が配置されている。
【００１６】
次に、球貯留ユニット１３について説明する。
球貯留ユニット１３は、補給装置から補給された遊技球を貯留するとともに、この貯留した遊技球を排出可能な装置である。この球貯留ユニット１３は、図２に示すように、遊技球を貯留可能な球貯留タンク２１と、球貯留タンク２１に貯留された遊技球を整列しながら導出する導出樋（球整列路）２２と、該導出樋２２により導出された遊技球を排出可能な球排出装置２３とを備え、上流側から球貯留タンク２１、導出樋２２、球排出装置２３の順序に並べて同一下り傾斜方向に連設した状態で配置している。
【００１７】
球貯留タンク２１は、パチンコ遊技機１の外部、具体的には遊技機設置島設備の補給装置から供給（補給）される遊技球を貯留するためのものである。この球貯留タンク２１は、上面が開口した横長な有底箱体状に形成され、パチンコ遊技機１の裏側の一側寄り（図１中左寄り）に配置されている。また、球貯留タンク２１の底部を一側（図２中左側）から他側（図２中右側）へ向けて下り傾斜させ、底部の傾斜下端側、すなわち導出樋２２と当該球貯留タンク２１とを連通する連通部分には、球貯留タンク２１の幅員を上流側から下流側へ向けて次第に狭める絞込み部２５を配置し、この絞込み部２５により、球貯留タンク２１内を流下する遊技球を２条に整列できるように構成されている。さらに、球貯留タンク２１の底部には踏板式の球補給スイッチ２６を配置し、該球補給スイッチ２６上に遊技球が載っているか否かを検出することにより球貯留タンク２１内の遊技球の有無（球不足状態であるか否か）を検出できるように構成されている。
【００１８】
導出樋２２は、球貯留タンク２１の下流側（下流端部）に連通し、上面を開放した通路部であり、球貯留タンク２１の前後方向（図２中上下方向）の中間部分からパチンコ遊技機１の左右方向に沿って延設され、球貯留タンク２１の傾斜下端側からパチンコ遊技機１の側方（図２中右側方）へ向けて下り傾斜した状態で配置されている。また、導出樋２２の幅を球貯留タンク２１の前後幅よりも狭い幅、具体的には遊技球の略２個分の幅に設定して、導出樋２２の側方（前後両側方）に横長な球抜樋配置空間部２７を導出樋２２に沿って設けている。さらに、導出樋２２の内側には、絞込み部２５で整列された遊技球を１条ずつに分けて流下させる第１導出流路３１および第２導出流路３２と、該第１導出流路３１および第２導出流路３２を仕切る仕切壁３３とを備えている。そして、第１導出流路３１および第２導出流路３２をパチンコ遊技機１の前後方向に並べた状態、具体的には、第１導出流路３１をパチンコ遊技機１の後寄りに配置し、第２導出流路３２をパチンコ遊技機１の前寄りに配置している。さらに、仕切壁３３のうち、導出樋２２の上流側（図２中左側）に位置する部分の上端部を導出樋２２の上流側から下流側へ向けて次第に高くなる状態に設定している。
【００１９】
また、導出樋２２の長手方向の途中には、球均し部材３５を第１導出流路３１および第２導出流路３２の上方に臨ませた状態で配置している。球均し部材３５は、導出樋２２に流入した遊技球の積み重なり状態を解消するための部材である。この球均し部材３５は、第１導出流路３１の中間部分の上方および第２導出流路３２の中間部分の上方にそれぞれ配置され、当該球均し部材３５の上端部を揺動軸３６により軸支して導出樋２２の延設方向に沿って揺動自在とし、当該球均し部材３５の下端部を遊技球に当接していない垂下状態で第１導出流路３１または第２導出流路３２の底部（すなわち導出樋２２の底部２２ａ）から遊技球１個分の高さと略同じ位置に配置可能となるように構成されている（図７〜図９参照）。したがって、複数の遊技球が積み重なった状態で第１導出流路３１または第２導出流路３２を流下すると、球均し部材３５は、その下部に遊技球を当接して揺動するとともに、当該球均し部材３５の自重で遊技球を押圧して均すことができる。これにより、遊技球が積み重ならない状態で導出樋２２の下流側へ流下させることができる。
【００２０】
球排出装置２３は、導出樋２２を流下してきた遊技球を排出流下路１５へ排出するためのものである。この球排出装置２３は、図２〜図４に示すように、導出樋２２の下流端部の側方（図中右側方）に配置されたケーシング部４０と、該ケーシング部４０の前後両側部に配置されたストッパー４１とを備えて構成されている。
【００２１】
ケーシング部４０は、その内部に区画壁部４３を仕切壁３３の延長線上に位置する状態で立設して、ケーシング部４０内の空間を第１空間部４４と第２空間部４５とに区画し、第１空間部４４を第２空間部４５よりもパチンコ遊技機１の後寄りに配置し、第１空間部４４を第１導出流路３１の下流部に連通し、第２空間部４５を第２導出流路３２の下流部に連通している。また、第１空間部４４の下流側には、排出流下路１５に連通する第１連通路４６を下方へ向けて延設し、第２空間部４５の下流側には、排出流下路１５に連通する第２連通路４７を下方へ向けて延設し、第１連通路４６を第２連通路４７よりもパチンコ遊技機１の後寄りに開設している（図７参照）。さらに、第１連通路４６の途中および第２連通路４７の途中に、球検出センサ５０をそれぞれ配置し、該球検出センサ５０により球排出装置２３（すなわち球貯留ユニット１３）から排出される遊技球を検出できるように構成されている。
【００２２】
また、第１空間部４４と第１連通路４６との連通部分の上方に第１排出案内部５１を配置し、該第１排出案内部５１を第１連通路４６の側部（図７（ａ）中右側部）へ向けて下り傾斜した姿勢に設定し、第１空間部４４を横向きに流下してきた遊技球が第１排出案内部５１に案内されて下方へ移動し、第１連通路４６へスムーズに流下できるように構成されている。さらに、第２空間部４５と第２連通路４７との連通部分の上方に第２排出案内部５２を配置し、該第２排出案内部５２を第２連通路４７の側部（図７（ａ）中右側部）へ向けて下り傾斜した姿勢に設定し、第２空間部４５を横向きに流下してきた遊技球が第２排出案内部５２に案内されて下方へ移動し、第２連通路４７へスムーズに流下できるように構成されている。
【００２３】
ストッパー４１は、第１連通路４６および第２連通路４７内の遊技球の流下を許容または規制するためのものであり、ケーシング部４０の前後両側部にそれぞれ設けられている。このストッパー４１は、図３に示すように、第１連通路４６の内部または第２連通路４７の内部に進退可能な略楔状の係止片５４と、該係止片５４を横方向にスライドさせるソレノイド５５等の駆動源と、該ソレノイド５５をケーシング部４０に取り付けるためのブラケット５６とから構成されている。また、係止片５４の先端部をケーシング部４０の内側へ向けた状態でソレノイド５５をブラケット５６の下部に止着し、ブラケット５６の上部から立設した腕部５６ａをケーシング部４０から側方へ延設された取付ロッド５７へビス等の止着部材５８により止着している。そして、例えば、ソレノイド５５を消磁すると、係止片５４をケーシング部４０の側部に開設された矩形状の突出孔５９から第１連通路４６の内部または第２連通路４７の内部へ突出して、第１連通路４６または第２連通路４７内の遊技球の流下を規制する排出規制状態に変換する。一方、ソレノイド５５を励磁すると、係止片５４をケーシング部４０の側方へ引込めて、第１連通路４６または第２連通路４７内の遊技球の流下を許容する排出許容状態に変換する。なお、本実施形態のブラケット５６は金属板製であり、ソレノイド５５から発生した熱を逃がす放熱部としての機能をも備えている。
【００２４】
そして、球貯留ユニット１３は、導出樋２２の途中、具体的には導出樋２２のうち球均し部材３５よりも球排出装置２３寄りの位置に、導出樋２２内の遊技球を抜き出し可能な球抜機構６１を設けている。球抜機構６１は、図４、図７〜図９に示すように、導出樋２２の側壁部に開設された球抜開口部６２と、該球抜開口部６２に連通する球抜樋６３と、導出樋２２内の遊技球の流下方向を切り換える流下切換部材６４とを備えて構成されている。
【００２５】
球抜開口部６２は、遊技球が十分に通過可能な大きさで開設された矩形状の開口部である。球抜開口部６２は、導出樋２２の前後両側に立設した側壁部（後側壁部２２ｂおよび前側壁部２２ｃ）を外方へ浅く凹ませて縦長なスライド溝部６６を形成し、該スライド溝部６６内の下側にそれぞれ開設されている。そして、後側壁部２２ｂに開設された球抜開口部６２（第１球抜開口部６２ａ）は、第１導出流路３１の下流部に連通可能であり、当該第１球抜開口部６２ａの下縁部を導出樋２２の底部２２ａよりも僅かに低い位置に設定している（図７（ｃ）参照）。さらに、第１球抜開口部６２ａの上縁部および側縁部（図４中右縁部）には、球抜樋６３の後側の上部を閉成する第１カバー部６７を後方（外方）の球抜樋配置空間部２７ヘ向けて延設している。また、後側壁部２２ｂに設けられたスライド溝部６６のうち第１球抜開口部６２ａの上方には、２つの係止孔６８をスライド溝部６６の延設方向（上下方向）に並べて開設し、係止孔６８に後述する流下切換部材６４の一部を係止できるように構成されている。なお、前側壁部２２ｃに設けられたスライド溝部６６は、後側壁部２２ｂに設けられたスライド溝部６６よりも球貯留タンク２１寄りに配置されている。したがって、第２球抜開口部６２ｂは、第１球抜開口部６２ａよりも球貯留タンク２１寄りに配置されている。
【００２６】
また、前側壁部２２ｃに開設された球抜開口部６２（第２球抜開口部６２ｂ）は、第２導出流路３２の下流部に連通可能であり、当該第２球抜開口部６２ｂの下縁部を導出樋２２の底部２２ａよりも僅かに低い位置に設定している（図７（ｃ）参照）。さらに、第２球抜開口部６２ｂの上縁部および側縁部（図４中右縁部）には、球抜樋６３の前側の上部を閉成する第２カバー部６９を前方（外方）の球抜樋配置空間部２７ヘ向けて延設している。
【００２７】
球抜樋６３は、導出樋２２の下方および前後両側方（すなわち球抜樋配置空間部２７）に配置された部材である。この球抜樋６３は、ビス等の止着部材７１により導出樋２２およびケーシング部４０に下方から取り付けられ、前後両端部が球貯留タンク２１の側部よりも外方へ突出しない状態で配置されている。そして、球抜樋６３の後部（図４中右側部）の球貯留タンク２１寄りに断面Ｌ字状の第１区画壁７２を立設し、該第１区画壁７２と第１カバー部６７とを上下に組み合わせて縦長な第１球抜誘導路７３を区画形成するとともに（図７（ｂ）参照）、該第１球抜誘導路７３を球貯留タンク２１の後側部よりも後方へ突出しない位置に配置している。また、球抜樋６３の前部（図４中左側部）の球貯留タンク２１寄りに断面Ｌ字状の第２区画壁７４を立設し、該第２区画壁７４と第２カバー部６９とを上下に組み合わせて縦長な第２球抜誘導路７５を区画形成するとともに（図７（ｂ）参照）、該第２球抜誘導路７５を球貯留タンク２１の前側部よりも前方へ突出しない位置に配置している。さらに、第１球抜誘導路７３の上流部（上端部）を第１球抜開口部６２ａに連通するとともに、第２球抜誘導路７５の上流部（上端部）を第２球抜開口部６２ｂに連通し、第１球抜誘導路７３の下流部および第２球抜誘導路７５の下流部には、球排出装置２３側へ向けて緩やかに下り傾斜した球抜転動部７７を配置し、該球抜転動部７７の下端には、裏機構ユニット４の球抜流下路１６に連通する球抜連通路７８を配置している。したがって、第１導出流路３１から第１球抜開口部６２ａへ流入した遊技球は、第１球抜誘導路７３、球抜転動部７７、球抜連通路７８を経て球抜流下路１６へ流下する。また、第２導出流路３２から第２球抜開口部６２ｂへ流入した遊技球は、第２球抜誘導路７５、球抜転動部７７、球抜連通路７８を経て球抜流下路１６へ流下する。
【００２８】
流下切換部材６４は、導出樋２２内を上下方向へ移動して排出状態と球抜状態とに切換可能な部材である。この流下切換部材６４は、図５に示すように、平板状のベース部８０を設け、該ベース部８０の前端（図５中左端）および後端（図５中右端）に、スライド溝部６６へ遊嵌して摺動可能なスライドベース８１を下方へ延設し、該スライドベース８１の下部には、球抜開口部６２を閉塞可能な閉塞壁部８２を備え、スライドベース８１の上部には、球抜開口部６２を開放可能な開放開口８３を閉塞壁部８２と上下に並んで配置した状態で開設している。開放開口８３は、前後方向へ貫通する状態で開設され、遊技球が十分に通過可能な大きさに設定されている。また、ベース部８０の前端に設けられたスライドベース８１は、ベース部８０の後端に設けられたスライドベース８１よりも球貯留タンク２１寄りに配置されている。さらに、前側のスライドベース８１に設けられた閉塞壁部８２および開放開口８３は、後側のスライドベース８１に設けられた閉塞壁部８２および開放開口８３よりも球貯留タンク２１寄りに配置されている。
なお、流下切換部材６４の排出状態および球抜状態については、後で詳細に説明する。
【００２９】
また、ベース部８０のうち球排出装置２３側の端部には、スライドベース８１よりも短い流下阻止壁８５を備えている。流下阻止壁８５は、導出樋２２を球抜開口部６２よりも上流側と下流側とに遮断可能な壁部であり、スライドベース８１と略直交する姿勢（言い換えると導出樋２２の第１導出流路３１および第２導出流路３２と略直交する姿勢）で下方ヘ向けて延設され、当該流下阻止壁８５の下端を開放開口８３の下縁部よりも上方に配置している。さらに、流下阻止壁８５の前後方向の略中央部に下方へ開放した切欠部８６を形成し、該切欠部８６を仕切壁３３が下方から遊嵌可能な程度の幅に設定し、流下切換部材６４が下方へ移動した場合に流下阻止壁８５と導出樋２２内の仕切壁３３とが干渉することを避けるように構成されている。
【００３０】
そして、流下阻止壁８５の切欠部８６側、換言すると、流下阻止壁８５のうち開放開口８３とは反対側には、球誘導部８７を導出樋２２の上流側（球貯留タンク２１側）へ向けて突設している。球誘導部８７は、遊技球を球抜開口部６２へ誘導可能な突起であり、第１導出流路３１または第２導出流路３２に臨ませる側面（すなわち遊技球が当接可能な側面）を導出樋２２の下流側（球排出装置２３側）へ向けて次第に開放開口８３へ近づく状態で傾斜させている。さらに、図９（ｂ），（ｅ）に示すように、球誘導部８７の側面を流下阻止壁８５の上流側面（流下阻止壁８５のうち導出樋２２の上流側に対向する側面）よりも遊技球寄り、具体的には、導出樋２２内を流下する遊技球の軌跡に近い位置（あるいは流下阻止壁８５よりも導出樋２２の上流側に配置された遊技球に近い位置）に配置している。したがって、球誘導部８７の側面と遊技球（遊技球の表面）との距離が流下阻止壁８５の上流側面と遊技球（遊技球の表面）との距離よりも短くなるように設定している。
【００３１】
また、流下阻止壁８５の上流側面の下部には、導出樋２２内の遊技球を導出樋２２の上流側へ押圧可能な押圧作用部８８を備えている。押圧作用部８８は、下端を導出樋２２の下流寄りに配置した下り傾斜部で構成され、導出樋２２内の遊技球に斜め上方（詳しくは球排出装置２３側の斜め上方）から当接できるように構成されている（図８（ａ）参照）。そして、この押圧作用部８８を備えることにより、流下阻止壁８５は、その下縁部を尖らせて下端へ向けて次第に薄くなるように形成される。
【００３２】
さらに、球誘導部８７の下部には誘導補助部８９を備えている。誘導補助部８９は、遊技球を球抜開口部６２側へ押圧可能な突起部であり、その上端を押圧作用部８８の上端と略同じ高さに配置している。また、第１導出流路３１あるいは第２導出流路３２に臨ませる側面（すなわち遊技球を当接して球抜開口部６２側へ押圧可能な側面）を、球誘導部８７の側面の下縁部から押圧作用部８８の下縁部（具体的には押圧作用部８８の切欠部８６側の下縁部）へ向けて次第に開放開口８３から遠ざかる状態で傾斜させている。そして、図８（ｃ）に示すように、誘導補助部８９の下部を押圧作用部８８の下部よりも遊技球から遠ざけた位置に配置している。言い換えると、流下切換部材６４は、押圧作用部８８の下部を誘導補助部８９の下部よりも遊技球寄り、具体的には、導出樋２２内を流下する遊技球の軌跡に近い位置（あるいは流下阻止壁８５よりも導出樋２２の上流側に配置された遊技球に近い位置）に配置している。したがって、押圧作用部８８と遊技球（遊技球の表面）との距離が誘導補助部８９と遊技球（遊技球の表面）との距離よりも短くなるように設定している。
【００３３】
なお、本実施形態の流下切換部材６４は、球誘導部８７の下縁部の角度（誘導補助部８９が形成された箇所の尖端角度）βを流下阻止壁８５の下端部の角度（押圧作用部８８が形成された箇所の尖端角度）αよりも大きく設定して（図９（ｃ），（ｄ）参照）、流下切換部材６４の下側から上側へ向かうにしたがって、球誘導部８７（あるいは誘導補助部８９）が流下阻止壁８５（あるいは押圧作用部８８）よりも遊技球の軌跡へ次第に近づくように構成されている。具体的には、誘導補助部８９が形成された下部の角度βを４０°に設定し、押圧作用部８８が形成された箇所の角度αを２０°に設定している。
【００３４】
また、流下切換部材６４の上面には、スライド溝部６６の係止孔６８に係止可能な係止部９１を設けている。係止部９１は、図６に示すように、ベース部８０の上面から突設したケース下部９２ａにケース上部９２ｂをビス等の止着部材９３で止着したケース９２と、前後方向に延設され、ケース９２内に収納された状態で後端を係止孔６８側へ突出可能な係止ロッド９４と、該係止ロッド９４を係止孔６８側へ付勢するばね等の付勢部材９５とから構成されている。そして、係止ロッド９４の前端部に拡径部９４ａを設け、該拡径部９４ａの先端に円筒状の窪部９４ｂを形成し、係止ロッド９４の後端部に円板状の係止端部９４ｃを設け、該係止端部９４ｃをケース９２の後方に配置している。さらに、係止ロッド９４の窪部９４ｂに付勢部材９５を配置し、該付勢部材９５の一端を窪部９４ｂ内に係合するとともに、他端をケース９２の後端部に係合している。したがって、係止ロッド９４は、常時後方（言い換えると係止孔６８側）へ付勢され、係止端部９４ｃをケース９２から後方へ突出する。
【００３５】
そして、球貯留ユニット１３は、図７（ｂ）および（ｃ）に示すように、導出樋２２の底部２２ａのうち球抜開口部６２の下縁部の周辺を凹ませて球抜案内部９７を形成している。具体的には、第１球抜開口部６２ａの下縁部よりも前方（仕切壁３３側）の部分を凹ませて第１球抜案内部９７ａを形成し、該第１球抜案内部９７ａを後方の第１球抜開口部６２ａの下縁部へ向けて下り傾斜させている。また、導出樋２２の底部２２ａのうち第２球抜開口部６２ｂの下縁部よりも後方（仕切壁３３側）の部分を凹ませて第２球抜案内部９７ｂを形成し、該第２球抜案内部９７ｂを前方の第２球抜開口部６２ｂの下縁部へ向けて下り傾斜させている。さらに、第１球抜案内部９７ａの上端と導出樋２２の後側壁部２２ｂとの間隔を遊技球の半径よりも短い距離に設定し、第２球抜案内部９７ｂの上端と当該導出樋２２の前側壁部２２ｃとの間隔を遊技球の半径よりも短い距離に設定している。
【００３６】
次に、球貯留ユニット１３の遊技球の排出作用について説明する。なお、球排出装置２３は、予めストッパー４１のソレノイド５５を消磁して、係止片５４を第１連通路４６および第２連通路４７へ突出して排出規制状態に変換しているものとする。
まず、球貯留ユニット１３内の遊技球を球排出装置２３から排出するには、球抜機構６１の流下切換部材６４をスライド溝部６６に沿って上方へ移動する。すると、流下切換部材６４は、図７（ａ）に示すように、排出状態に切り換わり、係止部９１の係止端部９４ｃを上側の係止孔６８に係止して排出状態を維持し、当該流下切換部材６４が下方へ移動すること、すなわち排出状態が解除されることを阻止する。また、流下阻止壁８５および球誘導部８７を導出樋２２の底部２２ａから離隔して導出樋２２の上流側と下流側とを連通し（言い換えると導出樋２２の遮断を解除し）、導出樋２２の底部２２ａと流下阻止壁８５および球誘導部８７との間に遊技球が十分に通過可能な開口を形成する。そして、スライドベース８１を上方へ移動し、開放開口８３を球抜開口部６２よりも上方へ配置するとともに、閉塞壁部８２と球抜開口部６２とを前後に重なる状態で配置して球抜開口部６２を閉塞壁部８２で閉塞し、閉塞壁部８２の内側面（第１導出流路３１または第２導出流路３２に臨ませた側面）と導出樋２２の側壁部２２ｂ，２２ｃの内側面（第１導出流路３１または第２導出流路３２に臨ませた側面）とを略同一平面上に配置する（図７（ｂ）参照）。
【００３７】
この結果、流下切換部材６４を排出状態に切り換えた球抜機構６１は、導出樋２２内の遊技球を球排出装置２３へ流下させ、球抜樋６３および球抜流下路１６へ遊技球が流下することを阻止する。また、導出樋２２は、図７（ｂ）および（ｃ）に示すように、その底部２２ａに形成された球抜案内部９７を球抜開口部６２の下縁部から遊技球の半径よりも狭い幅で形成しているので、導出樋２２内の遊技球が側壁部２２ｂ，２２ｃおよび閉塞壁部８２に当接しながら流下して球抜案内部９７の近傍に到達したとしても、この遊技球を球抜案内部９７に引っ掛けて停留させることがない。したがって、球抜案内部９７が遊技球の排出作業に支障を来たす虞がなく、導出樋２２内の遊技球を球排出装置２３へ迅速に流下させることができる。
【００３８】
遊技球が導出樋２２から球排出装置２３内に流下して、第１連通路４６内および第２連通路４７内に突出した係止片５４に係止したならば、ストッパー４１のソレノイド５５を励磁して係止片５４を第１連通路４６および第２連通路４７から後退させて排出許容状態に変換する。すると、遊技球は、第１連通路４６および第２連通路４７を通過し、下方の排出流下路１５へ流下する。
【００３９】
また、球貯留ユニット１３内の遊技球を導出樋２２の途中から抜き出すには、ストッパー４１のソレノイド５５を消磁して係止片５４を第１連通路４６および第２連通路４７へ突出して排出規制状態へ変換し、遊技球が球排出装置２３から排出されることを停止し、導出樋２２内に遊技球を停留させる。導出樋２２内に遊技球を停留させたならば、流下切換部材６４の係止端部９４ｃを前方へ押圧して上側の係止孔６８との係止状態を解除する。すると、流下切換部材６４は、下方へ移動可能となり、排出状態から球抜状態への切り換えを許容される。この状態で流下切換部材６４を下方へ移動すると、図８（ａ）に示すように、導出樋２２内に並んだ遊技球の列の間に流下阻止壁８５が挿入される。このとき、流下阻止壁８５の押圧作用部８８の下部が誘導補助部８９の下部よりも先に遊技球に当接する（図８（ｂ）および（ｃ）参照）。したがって、流下切換部材６４を排出状態から球抜状態へ切り換える際に、遊技球を球抜開口部６２側へ押圧する前に導出樋２２の上流側へ押圧することができる。この結果、導出樋２２内に並んだ遊技球の列の途中に流下切換部材６４の流下阻止壁８５を挿入し易くなり、導出樋２２をスムーズに遮断することができる。これにより、導出樋２２からの球抜作業を一層迅速に行うことができる。なお、押圧作用部８８により押圧された遊技球の列は、列全体が導出樋２２に沿って球貯留タンク２１側へ移動するか、あるいは、列の途中で幾つかの遊技球を導出樋２２の底部２２ａから浮き上がらせて所謂ブリッジを形成する（図９（ａ）参照）。
【００４０】
さらに流下切換部材６４を下方へ移動すると、流下切換部材６４は、図９（ａ）に示すように、球抜状態に切り換わり、係止部９１の係止端部９４ｃを下側の係止孔６８に係止して球抜状態を維持し、当該流下切換部材６４が上方へ移動すること、すなわち球抜状態が解除されることを阻止する。また、流下阻止壁８５の下端部および球誘導部８７の下端部を導出樋２２の底部２２ａに当接して、導出樋２２を球抜開口部６２から上流側の部分と下流側の部分とに遮断する（図９（ｃ），（ｄ）参照）。そして、スライドベース８１を下方へ移動し、閉塞壁部８２を球抜開口部６２よりも下方に配置するとともに、開放開口８３と球抜開口部６２とを前後に重なる状態で配置して球抜開口部６２を開放開口８３で開放する（図９（ｂ）参照）。
【００４１】
この結果、流下切換部材６４を球抜状態に切り換えた球抜機構６１は、導出樋２２内の第１導出流路３１と第１球抜誘導路７３とを連通するとともに、導出樋２２内の第２通路と第２球抜誘導路７５とを連通して、導出樋２２内の遊技球を球抜樋６３へ流下可能な状態となる。また、導出樋２２を遮断した流下阻止壁８５により遊技球が球排出装置２３へ流下することを阻止する。この状態で、導出樋２２内の遊技球が導出樋２２の底部２２ａの下り傾斜に沿って転動して流下切換部材６４の内側に進入すると、この遊技球は、図９（ｂ）および（ｅ）に示すように、流下切換部材６４の球誘導部８７へ流下阻止壁８５よりも先に当接し、球誘導部８７により転動方向が変えられて球抜開口部６２へ誘導される。さらに、球抜開口部６２の手前で球抜案内部９７上を流下し、これにより球抜開口部６２へ向かう流下勢を増す（図９（ｆ）参照）。そして、球抜開口部６２に到達した遊技球は、球抜樋６３へ流入し、球抜転動部７７、球抜連通路７８を経て球抜流下路１６へ流下する。このようにして球抜機構６１は、流下切換部材６４の内側に進入した遊技球を速やかに球抜開口部６２へ誘導して、球抜樋６３および球抜流下路１６へ流下させることができる。したがって、球抜作業の効率向上を図ることができる。
【００４２】
また、球抜状態における流下切換部材６４は、図９（ｃ），（ｄ）に示すように、押圧作用部８８の上端と導出樋２２の底部２２ａ（言い換えると押圧作用部８８の下端）との距離を遊技球の半径よりも短い距離に設定するとともに、誘導補助部８９の上端と導出樋２２の底部２２ａ（言い換えると誘導補助部８９の下端）との距離を遊技球の半径よりも短い距離に設定する。したがって、導出樋２２内の遊技球を流下切換部材６４により球抜開口部６２へ誘導する際に、遊技球が押圧作用部８８または誘導補助部８９に当接することを避けることができる。このことから、遊技球がその上側に押圧作用部８８を当接して導出樋２２の底部２２ａとの間に挟まれたり、誘導補助部８９を当接して導出樋２２の底部２２ａとの間に挟まれたりすることを防ぐことができる。これにより、導出樋２２内の遊技球を迅速に球抜開口部６２へ誘導することができる。
【００４３】
このように、球貯留ユニット１３は、上下移動することで排出状態と球抜状態とに切換可能な流下切換部材６４を備え、排出状態に切り換えると導出樋２２内の遊技球を球排出装置２３へ流下させ、球抜状態に切り換えると導出樋２２内の遊技球を球誘導部８７により球抜開口部６２へ誘導して球抜樋６３へ流下させるように構成したので、シンプルな構成で球抜機構６１を構成することができる。また、球抜機構６１を上下に移動して簡単に操作するだけで導出樋２２の途中から遊技球を抜き出すことができ、導出樋２２からの球抜作業を迅速に行うことができる。
【００４４】
さらに、球抜樋配置空間部２７に球抜樋６３（具体的は、球抜樋６３内の第１球抜連通路７８および第２球抜連通路７８）を球貯留タンク２１の側部よりも外方へ突出しない状態で配置したので、球貯留ユニット１３は、球抜機構６１の配置スペースを球貯留タンク２１の幅よりも広く設定する必要がない。したがって、球抜機構６１の配置スペースを前後方向に狭く抑えることができ、パチンコ遊技機１内の限られた空間を有効に活用することができる。
【００４５】
なお、上記実施形態では、流下切換部材６４は、流下阻止壁８５の下端部および球誘導部８７の下端部を導出樋２２の底部２２ａに当接して導出樋２２を遮断したが、本発明はこれに限定されない。すなわち、流下阻止壁８５の下端部および球誘導部８７の下端部を導出樋２２の底部２２ａに近接し、流下阻止壁８５および球誘導部８７と導出樋２２の底部２２ａとの間を遊技球が通過できない程度の間隔に設定して、遊技球が球排出装置２３側へ流下することを阻止するように構成してもよい。このとき、押圧作用部８８の上端および誘導補助部８９の上端が導出樋２２の底部２２ａから遊技球の半径よりも低い位置に配置される状態に設定すれば、遊技球がその上側に押圧作用部８８を当接して導出樋２２の底部２２ａとの間に挟まれたり、誘導補助部８９を当接して導出樋２２の底部２２ａとの間に挟まれたりすることを防ぐことができて好適である。
【００４６】
また、上記実施形態の閉塞壁部８２は、流下切換部材６４を排出状態に切り換えると、球抜案内部９７を十分に塞いで遊技球が球抜樋６３へ流下することを阻止するように構成されたが、本発明はこれに限定されない。すなわち、閉塞壁部８２により球抜案内部９７の下部を閉成するとともに、開放開口８３の下縁部と球抜開口部６２の上縁部との間隔を遊技球の直径よりも狭く設定して、遊技球が球抜樋６３へ流下することを阻止するように構成してもよい。
【００４７】
さらに、上記実施形態では、流下切換部材６４は、上下方向へ直線移動して排出状態と球抜状態とに変換できるように構成されたが、本発明はこれに限定されない。たとえば、流下切換部材６４から回動腕部を延設し、該回動腕部の先端を導出樋２２の側部に回動自在に軸着して、回動腕部を上方へ回動すると流下切換部材６４を排出状態に変換し、回動腕部を下方へ回動すると流下切換部材６４を球抜状態に変換できるように構成してもよい。
【００４８】
上記した実施形態は、代表的な遊技機であるパチンコ遊技機１を例に挙げて説明したが、本発明はこれに限らず、遊技球を貯留可能な球貯留タンクと、該球貯留タンクの下流側に連通し、球貯留タンクに貯留された遊技球を導出する導出樋と、該導出樋から導出された遊技球を排出可能な球排出装置と、導出樋内の遊技球を抜き出す球抜機構とを設けた遊技機であればどのような遊技機でもよい。例えば、内部に封入した遊技球を循環させる封入球式パチンコ機、アレンジボール式遊技機、雀球式遊技機等の遊技機であってもよい。
【００４９】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５０】
【図１】パチンコ遊技機の後方斜視図である。
【図２】球貯留ユニットの上方斜視図である。
【図３】ストッパーを取り外した状態の球貯留ユニットの後方斜視図である。
【図４】球抜機構の後方から見た分解斜視図である。
【図５】係止部を外した状態の流下切換部材の側方斜視図である。
【図６】係止部を分解した状態の流下切換部材の前方斜視図である。
【図７】（ａ）は流下切換部材を排出状態に変換した時の球抜機構および球排出装置の断面図、（ｂ）は流下切換部材を排出状態に変換した時の球抜機構の平面断面図、（ｃ）は球抜案内部の断面図である。
【図８】（ａ）は流下切換部材を排出状態から球抜状態へ変換する途中の球抜機構および球排出装置の断面図、（ｂ）は流下切換部材を排出状態から球抜状態へ変換する途中の球抜機構の平面断面図、（ｃ）は押圧作用部および誘導補助部の平面断面図である。
【図９】（ａ）は流下切換部材を球抜状態に変換した時の球抜機構および球排出装置の断面図、（ｂ）は流下切換部材を球抜状態に変換した時の球抜機構の平面断面図、（ｃ）は流下阻止壁の断面図、（ｄ）は球誘導部の断面図、（ｅ）は流下阻止壁および球誘導部の平面断面図、（ｆ）は球誘導部に当接した遊技球の移動を示す説明図である。
【符号の説明】
【００５１】
１  パチンコ遊技機
４  裏機構ユニット
１３  球貯留ユニット
２１  球貯留タンク
２２  導出樋
２３  球排出装置
２７  球抜樋配置空間部
５０  球検出センサ
５４  係止片
５９  突出孔
６１  球抜機構
６２  球抜開口部
６２ａ  第１球抜開口部
６２ｂ  第２球抜開口部
６３  球抜樋
６４  流下切換部材
６６  スライド溝部
６８  係止孔
７３  第１球抜誘導路
７５  第２球抜誘導路
８０  ベース部
８１  スライドベース
８２  閉塞壁部
８３  開放開口
８５  流下阻止壁
８６  切欠部
８７  球誘導部
８８  押圧作用部
８９  誘導補助部
９１  係止部
９４  係止ロッド
９４ａ  拡径部
９４ｂ  窪部
９４ｃ  係止端部
９７  球抜案内部
９７ａ  第１球抜案内部
９７ｂ  第２球抜案内部
【図１】
2007135697.tif 000003
【図２】
2007135697.tif 000004
【図３】
2007135697.tif 000005
【図４】
2007135697.tif 000006
【図５】
2007135697.tif 000007
【図６】
2007135697.tif 000008
【図７】
2007135697.tif 000009
【図８】
2007135697.tif 000010
【図９】
2007135697.tif 000011